(57)【要約】【課題】  音声出力手段を備える画像形成装置において、当該音声出力手段により出力される音声を確実に聞き取り易くする。【解決手段】  本発明に係る画像形成装置としての複合機１０は、スピーカ４０を備えており、社内放送などのＰＡシステム用の出力装置として機能することができる。ここで、スピーカ４０から音声が出力されていない期間中は、複合機１０は、通常モードで動作する。一方、スピーカ４０から音声が出力されている期間中は、複合機１０は、通常モードよりも低速の低速モードで動作する。これにより、スピーカ４０から出力される音声が聞き取り易くなる。なお、駆動制御部２２の駆動モードが通常モードおよび低速モードの一方から他方に切り替わるタイミングが、或るジョブに従う処理の実行中に当たる場合には、その処理が完了してから、当該駆動モードが切り替わる。【選択図】  図１
2019176294.tif 000002
【特許請求の範囲】
【請求項１】
音声を出力する音声出力手段を備える画像形成装置であって、
ジョブに基づいて画像記録媒体に画像を形成する画像形成処理を実行する画像形成手段、
前記画像形成手段を含む特定の駆動要素を設定された駆動モードにより駆動させる駆動制御手段、および
前記音声出力手段による前記音声の非出力期間中は前記駆動モードとして第１モードを前記駆動制御手段に設定し、当該音声出力手段による当該音声の出力期間中は当該駆動モードとして当該第１モードよりも前記特定の駆動要素を低速で駆動させる第２モードを当該駆動制御手段に設定するモード設定手段をさらに備え、
前記モード設定手段は、前記駆動制御手段に設定される前記駆動モードを前記第１モードおよび前記第２モードの一方から他方に変更するときに前記ジョブに基づく前記画像形成処理が実行中の場合に、当該ジョブに基づく当該画像形成処理が完了した後に、当該駆動モードを変更する、画像形成装置。
【請求項２】
前記画像形成手段に前記画像記録媒体を供給する媒体供給手段、および
前記モード設定手段により前記駆動モードが変更されるときに前記ジョブに基づく前記画像形成処理が実行中の場合に、前記媒体供給手段による前記画像形成手段への前記画像記録媒体の供給を停止させる供給停止手段をさらに備え、
前記モード設定手段は、前記駆動モードを変更するときに前記ジョブに基づく前記画像形成処理が実行中の場合に、前記供給停止手段により前記画像形成手段への前記画像記録媒体の供給が停止された上で実行可能な当該画像形成処理が完了した後に、当該駆動モードを変更し、
前記モード設定手段により前記駆動モードが変更された後に、前記媒体供給手段による前記画像形成手段への前記画像記録媒体の供給を再開させる供給再開手段をさらに備える、請求項１に記載の画像形成装置。
【請求項３】
前記モード設定手段により前記駆動モードが前記第１モードから前記第２モードに変更されるときに前記ジョブに基づく前記画像形成処理が実行中の場合に、少なくとも当該駆動モードが当該第１モードから当該第２モードに変更されるまでの間、前記音声出力手段による前記音声の出力音量を増大させる音量増大手段をさらに備える、請求項１または２に記載の画像形成装置。
【請求項４】
原稿の画像を読み取る画像読取処理を実行する画像読取手段をさらに備え、
前記モード設定手段は、前記ジョブが前記画像読取手段に前記画像読取処理を実行させる命令を含む場合に、前記音声出力手段による前記音声の出力期間中は前記第２モードに代えて前記特定の駆動要素の駆動を停止させる第３モードを前記駆動制御手段に設定し、
前記特定の駆動要素は、前記画像読取手段を含まない、請求項１から３のいずれかに記載の画像形成装置。
【請求項５】
前記特定の駆動要素は、モータおよびファンの少なくともいずれかを含む、請求項１から４のいずれかに記載の画像形成装置。
【請求項６】
音声を出力する音声出力手段を備える画像形成装置の制御方法であって、
ジョブに基づいて画像記録媒体に画像を形成する画像形成処理を画像形成手段に実行させる画像形成ステップ、
前記画像形成手段を含む特定の駆動要素を設定された駆動モードにより駆動させる駆動制御ステップ、および
前記音声出力手段による前記音声の非出力期間中は前記駆動制御ステップにおける前記駆動モードとして第１モードを設定し、当該音声出力手段による当該音声の出力期間中は当該駆動制御ステップにおける当該駆動モードとして当該第１モードよりも前記特定の駆動要素を低速で駆動させる第２モードを設定するモード設定ステップを含み、
前記モード設定ステップにおいては、前記駆動制御ステップにおける前記駆動モードを前記第１モードおよび前記第２モードの一方から他方に変更するときに前記ジョブに基づく前記画像形成処理が実行中の場合に、当該ジョブに基づく当該画像形成処理が完了した後に、当該駆動モードを変更する、制御方法。
【請求項７】
音声を出力する音声出力手段を備える画像形成装置の制御プログラムであって、
ジョブに基づいて画像記録媒体に画像を形成する画像形成処理を画像形成手段に実行させる画像形成手順、
前記画像形成手段を含む特定の駆動要素を設定された駆動モードにより駆動させる駆動制御手順、および
前記音声出力手段による前記音声の非出力期間中は前記駆動制御手順における前記駆動モードとして第１モードを設定し、当該音声出力手段による当該音声の出力期間中は当該駆動制御手順における当該駆動モードとして当該第１モードよりも前記特定の駆動要素を低速で駆動させる第２モードを設定するモード設定手順を、前記画像形成装置のコンピュータに実行させ、
前記モード設定手順においては、前記駆動制御手順における前記駆動モードを前記第１モードおよび前記第２モードの一方から他方に変更するときに前記ジョブに基づく前記画像形成処理が実行中の場合に、当該ジョブに基づく当該画像形成処理が完了した後に、当該駆動モードを変更する、制御プログラム。
【発明の詳細な説明】
【技術分野】
【０００１】
本発明は、画像形成装置、画像形成装置の制御方法および制御プログラムに関し、特に、音声を出力する音声出力手段を備える、画像形成装置、画像形成装置の制御方法および制御プログラムに関する。
【背景技術】
【０００２】
この種の画像形成装置においては、当該画像形成装置の操作方法の説明や警告などを音声で出力する音声ガイダンス機能が設けられることがある。その一方で、画像形成装置は、ジョブを実行する際に稼働音を発する。したがって、この稼働音により音声ガイダンス機能の音声が埋もれないようにすることが、つまり当該音声ガイダンス機能の音声を聞き取り易くすることが、肝要である。たとえば特許文献１には、音声ガイダンス機能が通知状態にある（有効化されている）場合に、稼働音の小さいジョブから優先して実行されることによって、当該音声ガイダンス機能の音声を聞き取り易くする技術が、開示されている。
【先行技術文献】
【特許文献】
【０００３】
【特許文献１】特開２０１０−６８０２６号公報
【発明の概要】
【発明が解決しようとする課題】
【０００４】
しかしながら、前述の特許文献１に開示された技術では、稼働音の小さいジョブが実行されているときには、音声ガイダンス機能の音声は聞き取り易いものの、稼働音の大きいジョブが実行されているときには、当該音声ガイダンス機能の音声は聞き取り難い。すなわち、特許文献１に開示された技術では、根本的に、音声ガイダンス機能の音声を聞き取り易くすることができない。
【０００５】
そこで、本発明は、音声出力手段により出力される音声を確実に聞き取り易くすることができる新規な画像形成装置、画像形成装置の制御方法および制御プログラムを提供することを、目的とする。
【課題を解決するための手段】
【０００６】
この目的を達成するために、本発明は、画像形成装置に係る第１の発明、画像形成装置の制御方法に係る第２の発明、および画像形成装置の制御プログラムに係る第３の発明を含む。
【０００７】
このうちの画像形成装置に係る第１の発明は、音声を出力する音声出力手段を備える画像形成装置であって、画像形成手段、駆動制御手段およびモード設定手段をさらに備える。ここで、画像形成装置は、ジョブに基づいて画像記録媒体に画像を形成する画像形成処理を実行する。そして、駆動制御手段は、画像形成手段を含む特定の駆動要素を、設定された駆動モードにより駆動させる。さらに、モード設定手段は、音声出力手段による音声の非出力期間中は、駆動制御手段に駆動モードとして第１モードを設定する。また、モード設定手段は、音声出力手段による音声の出力期間中は、駆動制御手段に駆動モードとして第１モードよりも特定の駆動要素を低速で駆動させる第２モードを設定する。加えて、モード設定手段は、駆動制御手段に設定される駆動モードを第１モードおよび第２モードの一方から他方に変更するときに、厳密にはそのタイミングにおいて、ジョブに基づく画像形成処理が実行中の場合に、当該ジョブに基づく画像形成処理が完了した後に、駆動モードを変更する。
【０００８】
なお、本第１の発明においては、媒体供給手段、供給停止手段および供給再開手段が、さらに備えられてもよい。このうちの媒体供給手段は、画像形成手段に画像記録媒体を供給する。そして、供給停止手段は、モード設定手段により駆動モードが変更されるときに、厳密にはそのタイミングにおいて、ジョブに基づく画像形成処理が実行中の場合に、媒体供給手段による画像形成手段への画像記録媒体の供給を停止させる。この場合、モード設定手段は、駆動モードを変更するときに、厳密にはそのタイミングにおいて、ジョブに基づく画像形成処理が実行中の場合に、供給停止手段により画像形成手段への画像記録媒体の供給が停止された上で、さらに、当該画像形成手段により実行可能な画像形成処理が完了した後に、駆動モードを変更する。そして、供給再開手段は、モード設定手段により駆動モードが変更された後に、媒体供給手段による画像形成手段への画像記録媒体の供給を再開させる。
【０００９】
また、本第１の発明においては、音量増大手段が、さらに備えられてもよい。この音量増大手段は、モード設定手段により駆動モードが第１モードから第２モードに変更されるときに、厳密にはそのタイミングにおいて、ジョブに基づく画像形成処理が実行中の場合に、少なくとも当該駆動モードが第１モードから第２モードに変更されるまでの間、音声出力手段による音声の出力音量を増大させる。
【００１０】
加えて、本第１の発明においては、画像読取手段が、さらに備えられてもよい。この画像読取手段は、原稿の画像を読み取る画像読取処理を実行する。この場合、モード設定手段は、前述のジョブが画像読取手段に画像読取処理を実行させる命令を含む場合に、音声出力手段による音声の出力期間中は、第２モードに代えて、特定の駆動要素の駆動を停止させる第３モードを、駆動制御手段に設定してもよい。ただし、この場合の特定の駆動要素は、画像読取手段を含まない。
【００１１】
本第１の発明における特定の駆動要素は、モータおよびファンの少なくともいずれかを含む。
【００１２】
本発明のうちの第２の発明に係る画像形成装置の制御方法は、音声を出力する音声出力手段を備える画像形成装置の制御方法であって、画像形成ステップ、駆動制御ステップおよびモード設定ステップを含む。ここで、画像形成ステップにおいては、ジョブに基づいて画像記録媒体に画像を形成する画像形成処理を画像形成手段に実行させる。そして、駆動制御ステップにおいては、画像形成手段を含む特定の駆動要素を、設定された駆動モードにより駆動させる。さらに、モード設定ステップにおいては、音声出力手段による音声の非出力期間中は、駆動制御ステップにおける駆動モードとして第１モードを設定する。また、モード制御ステップにおいては、音声出力手段による音声の出力期間中は、駆動制御ステップにおける駆動モードとして第１モードよりも特定の駆動要素を低速で駆動させる第２モードを設定する。加えて、モード設定ステップにおいては、駆動制御ステップにおける駆動モードを第１モードおよび第２モードの一方から他方に変更するときに、厳密にはそのタイミングにおいて、ジョブに基づく画像形成処理が実行中の場合に、当該ジョブに基づく画像形成処理が完了した後に、駆動モードを変更する。
【００１３】
本発明のうちの第３の発明に係る画像形成装置の制御プログラムは、音声を出力する音声出力手段を備える画像形成装置の制御プログラムであって、当該画像形成装置のコンピュータに、画像形成手順、駆動制御手順およびモード設定手順を実行させる。ここで、画像形成手順においては、ジョブに基づいて画像記録媒体に画像を形成する画像形成処理を画像形成手段に実行させる。そして、駆動制御手順においては、画像形成手段を含む特定の駆動要素を、設定された駆動モードにより駆動させる。さらに、モード設定手順においては、音声出力手段による音声の非出力期間中は、駆動制御手順における駆動モードとして第１モードを設定する。また、モード設定手順においては、音声出力手段による音声の出力期間中は、駆動制御手順における駆動モードとして第１モードよりも特定の駆動要素を低速で駆動させる第２モードを設定する。加えて、モード設定手順においては、駆動制御手順における駆動モードを第１モードおよび第２モードの一方から他方に変更するときに、厳密にはそのタイミングにおいて、ジョブに基づく画像形成処理が実行中の場合に、当該ジョブに基づく画像形成処理が完了した後に、駆動モードを変更する。
【発明の効果】
【００１４】
本発明によれば、音声出力手段により出力される音声を確実に聞き取り易くすることができる。
【図面の簡単な説明】
【００１５】
【図１】図１は、本発明の第１実施例に係る複合機の電気的な構成を示すブロック図である。
【図２】図２は、第１実施例における駆動制御部により駆動される駆動要素の一例を示す図である。
【図３】図３は、第１実施例における主記憶部のＲＡＭ内の構成を概念的に示すメモリマップである。
【図４】図４は、第１実施例におけるＣＰＵが実行するモード制御処理の流れを示すフロー図である。
【図５】図５は、本発明の第２実施例におけるＣＰＵが実行するモード制御処理の流れを示すフロー図である。
【図６】図６は、本発明の第３実施例におけるＣＰＵが実行するモード制御処理の流れを示すフロー図である。
【図７】図７は、本発明の第４実施例におけるＣＰＵが実行するモード制御処理の流れを示すフロー図である。
【発明を実施するための形態】
【００１６】
［第１実施例］
本発明の第１実施例について、図１に示される複合機１０を例に挙げて説明する。
【００１７】
本第１実施例に係る複合機１０は、コピー機能、プリンタ機能、スキャナ機能、ファクシミリ機能などの複数の機能を備える、いわゆるＭＦＰ（Multifunction Peripheral）である。この複合機１０は、図１に示されるように、画像読取部１２、画像処理部１４、給紙部１６、用紙搬送部１８、画像形成部２０、駆動制御部２２および通信部２４を備える。併せて、複合機１０は、制御部２６、補助記憶部２８および外部記憶媒体接続部３０を備える。さらに、複合機１０は、表示部３２および操作部３４を備える。加えて、複合機１０は、音声処理部３６を備える。これらは、互いに共通のバス３８に接続される。また、音声処理部３６には、電気音声変換手段としてのスピーカ４０が接続される。
【００１８】
画像読取部１２は、不図示の原稿の画像を読み取って当該原稿の画像に応じた２次元の画像データを出力する画像読取処理を担う、画像読取手段である。このため、画像読取部１２は、不図示の原稿載置台、光源、複数のミラー、結像レンズ、ラインセンサなどを備える。この画像読取部１２は、複合機のコピー機能、スキャナ機能、およびファクシミリ（ファクシミリ送信）機能の実現に供される。また、画像読取部１２は、不図示の自動原稿送り装置（Auto Document Feeder：ＡＤＦ）を備えることがある。
【００１９】
画像処理部１４は、画像読取部１２から出力される画像データなどの各種の画像データに適宜の画像処理を施す、画像処理手段である。このため、画像処理部１４は、画像処理実行手段としての不図示のたとえばＤＳＰ（Digital Signal Processor）を有している。この画像処理部１４による画像処理を施された後の画像データは、画像形成部２０、通信部２４、制御部２６、補助記憶部２８、および外部記憶媒体接続部３０のうちの適宜の要素へ送られる。
【００２０】
給紙部１６は、不図示の給紙カセットを含む。そして、給紙部１６は、給紙カセットに収容された画像記録媒体としての不図示のシート、たとえば用紙を、次に説明する用紙搬送部１８へ供給する。
【００２１】
用紙搬送部１８は、給紙部１６から供給された用紙を画像形成部２０へ搬送し、さらに、この画像形成部２０により後述する画像形成処理を施された後の用紙を不図示の排紙部へ搬送する。このため、用紙搬送部１８は、給紙部１６から画像形成部２０を介して排紙部まで適宜に形成された不図示の搬送路、および、この搬送路に沿って用紙を搬送させる不図示の搬送ローラを含む。また、用紙搬送部１８は、両面印刷のための不図示の循環搬送路、および、この循環搬送路用の不図示の搬送ローラを含む場合もある。
【００２２】
画像形成部２０は、用紙搬送部１８によって搬送される用紙にたとえば電子写真方式によって画像を形成する画像形成処理を担う、画像形成手段である。このため、画像形成部２０は、不図示の感光体ドラム、帯電装置、露光装置、現像装置、転写装置、定着装置などを備える。この画像形成部２０は、複合機１０のコピー機能、プリンタ機能、およびファクシミリ（ファクシミリ受信）機能の実現に供される。なお、画像形成部２０は、電子写真方式に限らず、たとえばインクジェット方式によって、画像形成処理を行うものであってもよい。
【００２３】
駆動制御部２２は、画像読取部１２による画像読取処理、給紙部１６による用紙の供給、用紙搬送部１８による用紙の搬送、画像形成部２０による画像形成処理などを実現するのに必要な駆動要素１００を駆動させる、駆動制御手段である。ここで言う駆動要素１００としては、図２に示されるように、画像読取用モータ１０２、ＡＤＦ用モータ１０４、給紙用モータ１０６、用紙搬送用モータ１０８、画像形成用モータ１１０、定着部冷却ファン１１２、排紙冷却ファン１１４などがある。
【００２４】
このうちの画像読取用モータ１０２は、画像読取部１２に設けられ、詳しくは前述のラインセンサなどを有する不図示の画像読取ユニットを移動させるための不図示の駆動機構に設けられる。ＡＤＦ用モータ１０４もまた、画像読取部１２に設けられ、詳しくは前述の自動原稿送り装置に設けられる。そして、給紙用モータ１０６は、給紙部１６に設けられ、詳しくは不図示のピックアップローラや給紙ローラ、分離ローラなどの駆動を担う。用紙搬送用モータ１０８は、用紙搬送部１８に設けられ、詳しくは前述の搬送ローラや不図示のレジストローラ、排紙ローラなどの駆動を担う。画像形成用モータ１１０は、画像形成部２０に設けられ、詳しくは前述の感光体ドラムや転写装置の転写ローラ、定着装置の定着ローラなどの駆動を担う。定着部冷却ファン１１２もまた、画像形成部２０に設けられ、詳しくは定着装置の特に定着ローラの冷却を担う。そして、排紙冷却ファン１１４もまた、画像形成部２０に設けられ、詳しくは画像形成部２０による画像形成処理後の、とりわけ定着装置による定着処理後の、用紙の冷却を担う。図示は省略するが、これらの他にも、駆動要素１００として、電源冷却ファンや各種のセンサ、クラッチなどがある。
【００２５】
図１に戻って、通信部２４は、不図示のネットワークを介しての双方向の通信処理を担う、通信手段である。ここで言うネットワークとしては、インターネットやＬＡＮ（Local Area Network）、ＶＰＮ（Virtual Private Network）などがある。このネットワークは、有線方式のみならず、無線方式をも含む。また、通信部２４は、不図示の公衆電話回線を介しての双方向の通信処理をも担う。この通信部２４は、複合機１０のプリンタ機能、ファクシミリ機能、およびイメージスキャナ（ネットワークスキャナ）機能の実現に供される。
【００２６】
制御部２６は、複合機１０の全体的な制御を司る、制御手段である。このため、制御部２６は、制御実行手段としてのＣＰＵ（Central Processing Unit）２６ａを備える。併せて、制御部２６は、ＣＰＵ２６ａが直接的にアクセス可能な主記憶手段としての主記憶部２６ｂを備える。この主記憶部２６ｂは、たとえば不図示のＲＯＭ（Read Only Memory）およびＲＡＭ（Random Access Memory）を含む。このうちのＲＯＭには、ＣＰＵ２６ａの動作を制御するための制御プログラム（ファームウェア）が記憶されている。そして、ＲＡＭは、ＣＰＵ２６ａが当該制御プログラムに基づく処理を実行する際の作業領域およびバッファ領域を構成する。このＲＡＭ内の概念的な構成を、図３のメモリマップ２００に示す。
【００２７】
このメモリマップ２００に示されるように、ＲＡＭは、プログラム記憶領域２２０およびデータ記憶領域２５０を有する。このうちのプログラム記憶領域２２０には、前述の制御プログラムが記憶されている。具体的には、制御プログラムは、表示制御プログラム２２２、操作検出プログラム２２４、画像読取プログラム２２６、画像処理プログラム２２８、画像形成プログラム２３０、駆動制御プログラム２３２、通信制御プログラム２３４、ジョブ制御プログラム２３６、音声制御プログラム２３８、モード制御プログラム２４０などを含む。
【００２８】
表示制御プログラム２２２は、表示部３２の後述するディスプレイ３２ａの表示面に各種画面を表示させるのに必要な表示画面データを生成するためのプログラムである。操作検出プログラム２２４は、操作部３４の後述するタッチパネル３４ａへの操作状態を検出するためのプログラムである。画像読取プログラム２２６は、画像読取部１２を制御するためのプログラムである。画像処理プログラム２２８は、画像処理部１４を制御するためのプログラムである。画像形成プログラム２３０は、画像形成部２０を制御するためのプログラムである。
【００２９】
さらに、駆動制御プログラム２３２は、駆動制御部２２を制御するためのプログラムである。通信制御プログラム２３４は、通信部２４を制御するためのプログラムである。ジョブ制御プログラム２３６は、印刷ジョブをはじめとする各ジョブの管理を含む当該各ジョブの制御をするためのプログラムである。音声制御プログラム２３８は、音声処理部３６を制御するためのプログラムである。そして、モード制御プログラム２４０は、ＣＰＵ２６ａに後述するモード制御処理を実行させるためのプログラムである。
【００３０】
一方、データ記憶領域２５０には、各種のデータが記憶されている。この各種のデータとしては、表示画像生成データ２５２、操作データ２５４、画像データ２５６、送受信データ２５８、音声ガイダンスデータ２６０などがある。
【００３１】
表示画像生成データ２５２は、前述の表示制御プログラム２２２に基づく表示画面データの生成に用いられるポリゴンデータやテクスチャデータなどのデータである。操作データ２５４は、タッチパネル３４ａに対する操作状態を表すデータであり、詳しくは当該タッチパネル３４ａに対するオペレータのタッチ位置（座標）を表す時系列のデータである。画像データ２５６は、画像読取部１２から出力される画像データや、画像処理部１４による画像処理に供されるデータ、画像形成部２０による画像形成処理に供される画像データなどの各種の画像データである。そして、送受信データ２５８は、通信部２４を介して送受信されるデータである。この送受信データ２５８には、後述する放送用の音声データが含まれる。音声ガイダンスデータ２６０は、後述する音声ガイダンス機能用の音源データである。
【００３２】
改めて図１に戻って、補助記憶部２８は、不図示のハードディスクやＮＶＲＡＭ（Non-Volatile RAM）などを含む、補助記憶手段である。この補助記憶部２８には、ＣＰＵ２６ａによる制御に従って、各種のデータが記憶される。なお、前述の制御プログラムは、適宜にアップデートされるが、このアップデートされた制御プログラムもまた、補助記憶部２８に記憶される。
【００３３】
外部記憶媒体接続部３０は、不図示のＵＳＢ（Universal Serial Bus）メモリなどの外部記憶媒体が接続可能な接続口を有しており、当該外部記憶媒体との間で各種データの送受信を行う。したがってたとえば、外部記憶媒体に記憶されている各種データを複合機１０側に取り込んだり、当該複合機１０側から外部記憶媒体に各種データを送り込んで記憶させたりすることが可能である。
【００３４】
表示部３２は、表示手段としてのディスプレイ３２ａを有する。このディスプレイ３２ａは、操作部３４のタッチパネル３４ａと協働して、タッチパネル付きディスプレイ（タッチスクリーン）を構成する。このディスプレイ３２ａは、たとえば液晶ディスプレイ（ＬＣＤ）であるが、これに限らず、有機エレクトロルミネッセンス（ＥＬ）ディスプレイなどであってもよい。また、表示部３２は、ディスプレイ３２ａ以外に、不図示の発光ダイオード（ＬＥＤ）などの適宜の発光素子を含む。
【００３５】
操作部３４は、操作受付手段としてのタッチパネル３４ａを有する。このタッチパネル３４ａは、前述の如くディスプレイ３２ａと協働して、タッチパネル付きディスプレイを構成する。このため、タッチパネル３４ａは、ディスプレイ３２ａの表示面上に重なるように設けられる。このタッチパネル３４ａは、たとえば静電容量方式のものであるが、これに限らず、電磁誘導方式、抵抗膜方式、赤外線方式などの他の方式のものであってもよい。また、操作部３４は、タッチパネル３４ａ以外に、不図示の押しボタンスイッチなどの適宜のハードウェアスイッチを含む。
【００３６】
音声処理部３６は、後述する放送用の音声データおよび音声ガイダンスデータ２６０に基づく音声をスピーカ４０から出力させるための音声処理手段である。そのために、この音声処理部３６は、放送用の音声データおよび音声ガイダンスデータ２６０をアナログ音声信号に変換するための不図示のＤ／Ａ変換回路や、このＤ／Ａ変換回路による変換後のアナログ音声信号を増幅する不図示の増幅回路などを有する。そして、増幅回路による増幅後のアナログ音声信号が、スピーカ４０に入力される。これにより、スピーカ４０からアナログ音声信号に基づく音声が出力され、つまり音声データおよび音声ガイダンスデータ２６０に基づく音声が出力される。
【００３７】
なお、スピーカ４０としては、とりわけスピーカユニットとしては、ダイナミック型のものが適当であるが、コンデンサ型やリボン型などの当該ダイナミック型以外であってもよい。また、スピーカ４０の振動版としては、コーン型のものが適当であるが、ドーム型や平面型などの当該コーン型以外であってもよい。
【００３８】
さて、本第１実施例に係る複合機１０は、社内放送や館内放送などのＰＡ（Public Address）システム用の出力装置としての機能を備えている。言い換えれば、スピーカ４０は、ＰＡシステム用のスピーカとして使用することが可能である。この場合、放送用の音声データが、不図示の音源装置からネットワークを介して通信部２４により受信される。この受信された音声データは、前述の送受信データ２５８として一旦、主記憶部２６ｂのＲＡＭに記憶され、その後、音声処理部３６に入力される。これにより、音声処理部３６に接続されたスピーカ４０から、放送用の音声データに基づく音声が出力される。なお、ここで言う音声とは、人間が発する声という狭義の音声のみならず、楽曲音や効果音などの何らかの情報を持つ音であり、換言すれば雑音以外の音である。
【００３９】
また、本第１実施例に係る複合機１０は、その操作方法の説明や警告などを音声で出力する音声ガイダンス機能を備えている。この音声ガイダンス機能用の音源データは、補助記憶部２８に記憶されている。そして、この補助記憶部２８に記憶されている音源データは、前述の音声ガイダンスデータ２６０として一旦、主記憶部２６ｂに記憶され、その後、音声処理部３６に入力される。これにより、スピーカ４０から、音声ガイダンスデータ２６０に基づく音声が出力される。
【００４０】
その一方で、複合機１０は、ジョブに従って動作しているときに動作音（稼働音）を発する。特に、前述の画像形成用モータ１１０、定着部冷却ファン１１２および排紙冷却ファン１１４を含む画像形成部２０から発せられる動作音は大きい。また、給紙用モータ１０６を含む給紙部１６から発せられる動作音も大きい。併せて、用紙搬送用モータ１０８を含む用紙搬送部１８から発せられる動作音も大きい。そして、これら画像形成部２０、給紙部１６および用紙搬送部１８ほどではないが、画像読取用モータ１０２を含む画像読取部１２からも相応の動作音が発せられる。また、自動原稿送り装置が備えられている場合には、ＡＤＦ用モータ１０４を含む当該自動原稿送り装置からも相応の動作音が発せられる。
【００４１】
この複合機１０から発せられる動作音は、スピーカ４０から出力される音声にとって雑音として作用する。したがって、この複合機１０から発せられる動作音によって、スピーカ４０から出力される音声が埋もれないようにすることが、つまり当該スピーカ４０から出力される音声を聞き取り易くすることが、肝要である。
【００４２】
そこで、本第１実施例においては、スピーカ４０から音声が出力されていない期間中は、複合機１０は、通常の速度で動作する。具体的には、駆動要素１００を駆動させる駆動制御部２２に、駆動モードとして通常モードが設定される。そして、スピーカ４０から音声が出力されている期間中は、複合機１０は、通常の速度よりも低速で動作する。具体的には、駆動制御部２２に、駆動モードとして通常モードよりも駆動要素１００を低速で駆動させる低速モードが設定される。これにより、少なくとも図２に示される画像読取用モータ１０２、ＡＤＦ用モータ１０４、給紙用モータ１０６、用紙搬送用モータ１０８、画像形成用モータ１１０、定着部冷却ファン１１２および排紙冷却ファン１１４が低速で駆動される。この結果、複合機１０から発せられる動作音が小さくなり、スピーカ４０から出力される音声が聞き取り易くなる。
【００４３】
なお、ここで言うスピーカ４０から音声が出力されている期間とは、たとえば当該音声が放送用の音声データに基づく場合には、この音声データの入力が開始されてから当該音声データの入力が完了するまでの期間を言う。したがって、ここで言うスピーカ４０から音声が出力されている期間中に、多少の無音期間があるとしても、この無音期間についても、当該スピーカ４０から音声が出力されている期間に含まれる。一方、音声が音声ガイダンスデータ２６０に基づく場合には、この音声ガイダンスデータ２６０に基づく音声がスピーカ４０から出力される一連の期間が、ここで言うスピーカ４０から音声が出力されている期間である。また、ここで言う低速モードにおける駆動要素１００の駆動速度は、たとえば通常モードにおける当該駆動要素１００の駆動速度の１／３から１／２程度である。
【００４４】
ただし、複合機１０が或るジョブに従って動作中であるときに、とりわけ画像形成部２０による画像形成処理の実行中に、駆動制御部２２の駆動モードが通常モードおよび低速モードの一方から他方に切り替わると、当該画像形成処理の品質が低下する虞がある。したがって、駆動制御部２２の駆動モードが通常モードおよび低速モードの一方から他方に切り替わるタイミングが、或るジョブに従う処理の実行中に当たる場合には、その処理が完了してから、当該駆動モードが切り替わる。言い換えれば、駆動制御部２２の駆動モードが切り替わるタイミングが、或るジョブに従う処理が実行されるときと、別のジョブに従う処理が実行されるときと、の間に設定される。これにより、駆動制御部２２の駆動モードが切り替わることに起因する特段な不都合はなくなり、とりわけ画像形成部２０による画像形成処理の品質の低下が防止される。
【００４５】
このような要領による駆動制御部２２の駆動モードの切り替えを実現するために、複合機１０のＣＰＵ２６ａは、前述のモード制御プログラム２４０に従って、モード制御処理を実行する。このモード制御処理の流れを、図４に示す。なお、ＣＰＵ２６ａは、スピーカ４０からの音声の出力が開始されるときに、厳密には前述の放送用の音声データの入力が開始されたときに、或いは、音声ガイダンスデータ２６０に基づく音声の出力の必要性が生じたときに、このモード制御処理を実行する。また、ＣＰＵ２６ａは、前述の駆動制御プログラム２３２に従って、駆動制御部２２を制御するとともに、ジョブ制御プログラム２３６に従って、各ジョブを制御し、さらに、音声制御プログラム２３８に従って、音声処理部３６を制御するが、これらについては、図示を含め、ここでの詳細な説明を省略する。
【００４６】
図４に示されるように、ＣＰＵ２６ａは、まずステップＳ１において、或るジョブに従う処理が、つまり画像読取部１２による画像読取処理や画像形成部２０による画像形成処理などが、実行中であるかどうかを判定する。ここでたとえば、当該ジョブに従う処理が実行中である場合（Ｓ１：ＹＥＳ）、ＣＰＵ２６ａは、処理をステップＳ３へ進める。一方、当該ジョブに従う処理が実行中でない場合には（Ｓ１：ＮＯ）、ＣＰＵ２６ａは、処理を後述するステップＳ７へ進める。
【００４７】
ステップＳ３において、ＣＰＵ２６ａは、ステップＳ１で実行中であると判定した前述のジョブに従う処理が完了したかどうかを判定する。ここでたとえば、当該ジョブに従う処理が完了していない場合（Ｓ３：ＮＯ）、ＣＰＵ２６ａは、処理をステップＳ５へ進める。一方、ジョブに従う処理が完了した場合には（Ｓ３：ＹＥＳ）、ＣＰＵ２６ａは、処理を後述するステップＳ７へ進める。
【００４８】
ステップＳ５において、ＣＰＵ２６ａは、スピーカ４０からの音声の出力が完了したかどうかを判定する。ここでたとえば、スピーカ４０からの音声の出力が完了した場合、つまり前述のジョブに従う処理が完了する前に当該スピーカ４０からの音声の出力が完了した場合（Ｓ５：ＹＥＳ）、ＣＰＵ２６ａは、このモード制御処理を終了する。一方、スピーカ４０からの音声の出力が完了していない場合には（Ｓ５：ＮＯ）、ＣＰＵ２６ａは、処理をステップＳ３へ戻す。
【００４９】
ステップＳ７において、ＣＰＵ２６ａは、駆動制御部２２の駆動モードとして低速モードを設定する。これ以降、駆動制御部２２は、低速モードで駆動要素１００を駆動させ、少なくとも図２に示される画像読取用モータ１０２、ＡＤＦ用モータ１０４、給紙用モータ１０６、用紙搬送用モータ１０８、画像形成用モータ１１０、定着部冷却ファン１１２および排紙冷却ファン１１４を当該低速モードで駆動させる。そして、ＣＰＵ２６ａは、処理をステップＳ９へ進める。
【００５０】
ステップＳ９において、ＣＰＵ２６ａは、スピーカ４０からの音声の出力が完了するのを待つ（Ｓ９：ＮＯ）。そして、スピーカ４０からの音声の出力が完了すると（Ｓ９：ＹＥＳ）、ＣＰＵ２６ａは、処理をステップＳ１１へ進める。
【００５１】
ステップＳ１１において、ＣＰＵ２６ａは、前述とは別のジョブに従う処理が実行中であるかどうかを判定する。ここでたとえば、当該別のジョブに従う処理が実行中である場合（Ｓ１１：ＹＥＳ）、ＣＰＵ２６ａは、処理をステップＳ１３へ進める。一方、ジョブに従う処理が実行中でない場合には（Ｓ１１：ＮＯ）、ＣＰＵ２６ａは、処理を後述するステップＳ１５へ進める。
【００５２】
ステップＳ１３において、ＣＰＵ２６ａは、ステップＳ１１で実行中であると判定したジョブに従う処理が終了するのを待つ（Ｓ１３：ＮＯ）。そして、当該ジョブに従う処理が完了すると（Ｓ１３：ＮＯ）、ＣＰＵ２６ａは、処理をステップＳ１５へ進める。
【００５３】
ステップＳ１５において、ＣＰＵ２６ａは、駆動制御部２２の駆動モードとして通常モードを設定する。これ以降、駆動制御部２２は、通常モードで駆動要素１００を駆動させる。このステップＳ１５の実行をもって、ＣＰＵ２６ａは、モード制御処理を終了する。
【００５４】
このように本第１実施例によれば、スピーカ４０から音声が出力されていない期間中は、複合機１０は、通常の速度で動作する。そして、スピーカ４０から音声が出力されている期間中は、複合機１０は、通常の速度よりも低速で動作する。これにより、スピーカ４０から出力される音声が確実に聞き取り易くなる。また、駆動制御部２２の駆動モードが切り替わるタイミングが、或るジョブが実行されるときと、別のジョブが実行されるときと、の間に設定される。したがって、駆動制御部２２の駆動モードが切り替わることに起因する特段な不都合はなく、とりわけ画像形成部２０による画像形成処理の品質の低下が防止される。
【００５５】
なお、本第１実施例における通常モードは、本発明に係る第１モードの一例であり、本第１実施例における低速モードは、本発明に係る第２モードの一例である。そして、図４に示される流れでモード制御処理を実行するＣＰＵ２６ａは、本発明に係るモード設定手段の一例である。また、図２に示される駆動要素１００のうち、駆動制御部２２に低速モードが設定されたときに低速で駆動される画像読取用モータ１０２、ＡＤＦ用モータ１０４、給紙用モータ１０６、用紙搬送用モータ１０８、画像形成用モータ１１０、定着部冷却ファン１１２および排紙冷却ファン１１４は、本発明に係る特定の駆動要素の一例である。言い換えれば、画像読取部１２、給紙部１６、用紙搬送部１８および画像形成部２０が、本発明に係る特定の駆動要素の一例である。
【００５６】
［第２実施例］
次に、本発明の第２実施例について、さらに図５を参照して説明する。
【００５７】
本第２実施例においては、駆動制御部２２の駆動モードが切り替わるタイミングが、前述の第１実施例におけるタイミングと異なる。本第２実施例におけるこれ以外の部分は、第１実施例と同様であるので、当該第１実施例と同様の部分については、それらの説明を省略する。
【００５８】
具体的には、本第２実施例においては、駆動制御部２２の駆動モードが切り替わるタイミングが、画像形成部２０による画像形成処理の実行中に当たる場合に、とりわけ複数頁分の当該画像形成処理の実行中に当たる場合に、一旦、給紙部１６による用紙搬送部１８への用紙の供給が停止される。そして、その時点で、用紙搬送部１８による搬送中の全ての用紙について、画像形成部２０による画像形成処理が行われる。さらに、この画像形成部２０による画像形成処理後の用紙が、用紙搬送部１８により排紙部へ搬送され、当該排紙部から排出される。その上で、駆動制御部２２の駆動モードが切り替えられる。そして、この駆動制御部２２の駆動モードが切り替わった後に、給紙部１６による用紙搬送部１８への用紙の供給が再開され、つまり画像形成部２０による画像形成処理が再開される。
【００５９】
すなわち、本第２実施例においては、駆動制御部２２の駆動モードが切り替わるタイミングが、或る用紙についての画像形成部２０による画像形成処理が行われるときと、次の用紙についての画像形成部２０による画像形成処理が行われるときと、の間に設定される。これによっても、第１実施例と同様、駆動制御部２２の駆動モードが切り替わることに起因する特段な不都合はなくなり、とりわけ画像形成部２０による画像形成処理の品質の低下が防止される。
【００６０】
このような要領による駆動制御部２２の駆動モードの切り替えを実現するための本第２実施例におけるモード制御処理の流れを、図５に示す。
【００６１】
この図５に示されるように、ＣＰＵ２６ａは、まずステップＳ２１において、或るジョブに従う画像形成部２０による画像形成処理が実行中であるかどうかを判定する。ここでたとえば、画像形成部２０による画像形成処理が実行中である場合（Ｓ２１：ＹＥＳ）、ＣＰＵ２６ａは、処理をステップＳ２３へ進める。一方、画像形成部２０による画像形成処理が実行中でない場合には（Ｓ２１：ＮＯ）、ＣＰＵ２６ａは、処理を後述するステップＳ３１へ進める。
【００６２】
ステップＳ２３において、ＣＰＵ２６ａは、給紙部１６による用紙搬送部１８への用紙の供給を停止させる。なお、この給紙部１６による用紙の供給を停止させる前に、用紙搬送部１８へ供給された用紙については、そのまま当該用紙搬送部１８による搬送を継続させるとともに、画像形成部２０による画像形成処理を実行させる。そして、ＣＰＵ２６ａは、処理をステップＳ２５へ進める。
【００６３】
ステップＳ２５において、ＣＰＵ２６ａは、用紙搬送部１８から（つまり複合機１０の本体内から）全ての用紙が前述の排紙部へ排紙されるのを待つ（Ｓ２５：ＮＯ）。そして、用紙搬送部１８から全ての用紙が排出されると、ＣＰＵ２６ａは、処理をステップＳ２７へ進める。
【００６４】
ステップＳ２７において、ＣＰＵ２６ａは、駆動制御部２２の駆動モードとして低速モードを設定する。これ以降、駆動制御部２２は、低速モードで駆動要素１００を駆動させ、少なくとも図２に示される画像読取用モータ１０２、ＡＤＦ用モータ１０４、給紙用モータ１０６、用紙搬送用モータ１０８、画像形成用モータ１１０、定着部冷却ファン１１２および排紙冷却ファン１１４を当該低速モードで駆動させる。そして、ＣＰＵ２６ａは、処理をステップＳ２９へ進める。
【００６５】
ステップＳ２９において、ＣＰＵ２６ａは、給紙部１６による用紙搬送部１８への用紙の供給を再開させる。これにより、画像形成部２０による画像形成処理も再開される。そして、ＣＰＵ２６ａは、処理をステップＳ３３へ進める。
【００６６】
なお、ＣＰＵ２６ａは、前述のステップＳ２１からステップＳ３１へ処理を進めた場合、つまり画像形成部２０による画像形成処理が実行中でない場合、当該ステップＳ３１において、駆動制御部２２の駆動モードとして低速モードを設定する。そして、ＣＰＵ２６ａは、処理をステップＳ３３へ進める。
【００６７】
ステップＳ３３において、ＣＰＵ２６ａは、スピーカ４０からの音声の出力が完了するのを待つ（Ｓ３３：ＮＯ）。そして、スピーカ４０からの音声の出力が完了すると（Ｓ３３：ＹＥＳ）、ＣＰＵ２６ａは、処理をステップＳ３５へ進める。
【００６８】
ステップＳ３５において、ＣＰＵ２６ａは、改めて画像形成部２０による画像形成処理が実行中であるかどうかを判定する。ここでたとえば、画像形成部２０による画像形成処理が実行中である場合（Ｓ３５：ＹＥＳ）、ＣＰＵ２６ａは、処理をステップＳ３７へ進める。一方、画像形成部２０による画像形成処理が実行中でない場合には（Ｓ３５：ＮＯ）、ＣＰＵ２６ａは、処理を後述するステップＳ４５へ進める。
【００６９】
ステップＳ３７において、ＣＰＵ２６ａは、前述のステップＳ２３と同様、給紙部１６による用紙搬送部１８への用紙の供給を停止させる。そして、ＣＰＵ２６ａは、処理をステップＳ３９へ進める。
【００７０】
ステップＳ３９において、ＣＰＵ２６ａは、前述のステップＳ２５と同様、用紙搬送部１８から全ての用紙が排紙部へ排紙されるのを待つ（Ｓ３９：ＮＯ）。そして、用紙搬送部１８から全ての用紙が排出されると、ＣＰＵ２６ａは、処理をステップＳ４１へ進める。
【００７１】
ステップＳ４１において、ＣＰＵ２６ａは、駆動制御部２２の駆動モードとして通常モードを設定する。これ以降、駆動制御部２２は、通常モードで駆動要素１００を駆動させる。そして、ＣＰＵ２６ａは、処理をステップＳ４３へ進める。
【００７２】
ステップＳ４３において、ＣＰＵ２６ａは、給紙部１６による用紙搬送部１８への用紙の供給を再開させる。これにより、画像形成部２０による画像形成処理も再開される。このステップＳ４３の実行をもって、ＣＰＵ２６ａは、モード制御処理を終了する。
【００７３】
なお、ＣＰＵ２６ａは、前述のステップＳ３５からステップＳ４５へ処理を進めた場合、つまり画像形成部２０による画像形成処理が実行中でない場合、当該ステップＳ４５において、駆動制御部２２の駆動モードとして通常モードを設定する。このステップＳ４５の実行をもって、ＣＰＵ２６ａは、モード制御処理を終了する。
【００７４】
このように本第２実施例によれば、駆動制御部２２の駆動モードが切り替わるタイミングが、或る用紙についての画像形成部２０による画像形成処理が行われるときと、次の用紙についての画像形成部２０による画像形成処理が行われるときと、の間に設定される。したがって、駆動制御部２２の駆動モードが切り替わるタイミングが、或るジョブが実行されるときと、別のジョブが実行されるときと、の間に設定される前述の第１実施例に比べて、スピーカ４０から出力される音声が早めに聞き取り易くなる。
【００７５】
なお、本第２実施例における給紙部１６は、厳密には当該給紙部１６と用紙搬送部１８のうちの当該給紙部１６から画像形成部２０に至るまでの部分とは、本発明に係る媒体供給手段の一例である。そして、図５におけるステップＳ２７において、給紙部１６による用紙の給紙を停止させるＣＰＵ２６ａは、本発明に係る供給停止手段の一例である。また、図５におけるステップＳ３７において、給紙部１６による用紙の給紙を再開させるＣＰＵ２６ａは、本発明に係る供給再開手段の一例である。
【００７６】
［第３実施例］
次に、本発明の第３実施例について、さらに図６を参照して説明する。
【００７７】
本第３実施例においては、駆動制御部２２の駆動モードが切り替わるタイミングが、前述の第１実施例におけるタイミングと同様、或るジョブに従う処理が実行されるときと、別のジョブに従う処理が実行されるときと、の間に設定される。加えて、本第３実施例においては、スピーカ４０から音声が出力されるときに、詳しくは当該スピーカ４０から音声が出力される期間の始期において、或るジョブに従う処理が実行中の場合には、当該ジョブに従う処理が完了するまでの間、スピーカ４０の出力音量が増大される。これにより、スピーカ４０から音声が出力されるときに、或るジョブに従う処理が実行中の場合に、当該スピーカ４０から出力される音声が聞き取り易くなる。本第３実施例におけるこれ以外の部分は、第１実施例と同様であるので、当該第１実施例と同様の部分については、それらの説明を省略する。
【００７８】
このような本第３実施例においては、ＣＰＵ２６ａは、図６に示される要領でモード制御処理を実行する。
【００７９】
すなわち、図６に示されるように、ＣＰＵ２６ａは、まずステップ５１において、或るジョブに従う処理が実行中であるかどうかを判定する。ここでたとえば、当該ジョブに従う処理が実行中である場合（Ｓ５１：ＹＥＳ）、ＣＰＵ２６ａは、処理をステップＳ５３へ進める。一方、当該ジョブに従う処理が実行中でない場合には（Ｓ５１：ＮＯ）、ＣＰＵ２６ａは、処理を後述するステップＳ６５へ進める。
【００８０】
ステップＳ５３において、ＣＰＵ２６ａは、スピーカ４０の出力音量を増大させ、詳しくは音声処理部３６の増幅回路の利得を上げる。そして、ＣＰＵ２６ａは、処理をステップＳ５５へ進める。なお、このステップ５３におけるスピーカ４０の出力音量の増大度合、つまり音声処理部３６の増幅回路の利得の増大度合は、複合機１０から発せられる動作音の大きさに応じて適宜に定められる。
【００８１】
ステップＳ５５において、ＣＰＵ２６ａは、前述のステップＳ５１で実行中であると判定したジョブに従う処理が完了したかどうかを判定する。ここでたとえば、当該ジョブに従う処理が完了していない場合（Ｓ５３：ＮＯ）、ＣＰＵ２６ａは、処理をステップＳ５７へ進める。一方、ジョブに従う処理が完了した場合には（Ｓ３：ＹＥＳ）、ＣＰＵ２６ａは、処理を後述するステップＳ６１へ進める。
【００８２】
ステップＳ５７において、ＣＰＵ２６ａは、スピーカ４０からの音声の出力が完了したかどうかを判定する。ここでたとえば、スピーカ４０からの音声の出力が完了した場合、つまり前述のジョブに従う処理が完了する前に当該スピーカ４０からの音声の出力が完了した場合（Ｓ５７：ＹＥＳ）、ＣＰＵ２６ａは、処理をステップＳ５９へ進める。一方、スピーカ４０からの音声の出力が完了していない場合には（Ｓ５７：ＮＯ）、ＣＰＵ２６ａは、処理をステップＳ５５へ戻す。
【００８３】
ステップＳ５９において、ＣＰＵ２６ａは、スピーカ４０の出力音量を前述のステップＳ５３で増大させる前の元の大きさに戻す。このステップ５９の実行をもって、ＣＰＵ２６ａは、モード制御処理を終了する。
【００８４】
ステップＳ６１において、ＣＰＵ２６ａは、駆動制御部２２の駆動モードとして低速モードを設定する。これ以降、駆動制御部２２は、低速モードで駆動要素１００を駆動させる。そして、ＣＰＵ２６ａは、処理をステップＳ６３へ進める。
【００８５】
ステップＳ６３において、ＣＰＵ２６ａは、スピーカ４０の出力音量を前述のステップＳ５３で増大させる前の元の大きさに戻す。そして、ＣＰＵ２６ａは、処理をステップＳ６７へ進める。
【００８６】
なお、ＣＰＵ２６ａは、前述のステップＳ５１からステップＳ６５へ処理を進めた場合、つまり或るジョブに従う処理が実行中でない場合、当該ステップＳ６５において、駆動制御部２２の駆動モードとして低速モードを設定する。そして、ＣＰＵ２６ａは、処理をステップＳ６７へ進める。
【００８７】
ステップＳ６７以降のステップ７３までは、前述の第１実施例（図４）におけるステップ９からステップ１５までと同様である。したがって。これらステップ６７からステップ７３までについての詳しい説明は、省略する。
【００８８】
このように本第３実施例によれば、スピーカ４０から音声が出力されるときに、或るジョブに従う処理が実行中の場合には、当該ジョブに従う処理が完了するまでの間、スピーカ４０の出力音量が増大される。これにより、スピーカ４０から音声が出力されるときに、或るジョブに従う処理が実行中の場合に、当該スピーカ４０から出力される音声が聞き取り易くなる。
【００８９】
なお、図６におけるステップＳ５３において、スピーカ４０の出力音量を増大させ、ステップＳ６３またはステップＳ５９において、当該スピーカ４０の出力音量を元の大きさに戻すＣＰＵ２６ａは、本発明に係る音量増大手段の一例である。また、前述の第２実施例においても、本第３実施例に倣って、たとえば図５におけるステップＳ２７が実行されるまでの間に、スピーカ４０の出力音量が増大されてもよい。
【００９０】
［第４実施例］
次に、本発明の第４実施例について、さらに図７を参照して説明する。
【００９１】
本第４実施例においては、前述のジョブが画像読取部１２による画像読取処理を実行させる命令を含む場合に、前述の低速モードに代えて、画像形成部２０による画像形成処理の実行を停止させる印刷停止モードが、駆動制御部２２の駆動モードとして設定される。また、この印刷停止モードが設定されたときは、給紙部１６による用紙の給紙、および用紙搬送部１８による当該用紙の搬送も、停止される。そして、画像読取部１２による画像読取処理については、ジョブに従って実行される。つまりは、この印刷停止モードが設定されたときは、画像読取部１２による画像読取処理のみが実行され、画像形成部２０による画像形成処理は実行されない。この印刷停止モードによっても、スピーカ４０から出力される音声が聞き取り易くなる。
【００９２】
この印刷停止モードによる効果が発揮されるシチュエーションとしては、たとえば複合機１０のコピー機能が使用される場合がある。また、複合機１０のスキャナ機能とプリンタ機能とが並行して使用される場合や、当該スキャナ機能が使用されるのと同時にファクシミリ受信機能が働く場合なども、この印刷停止モードによる効果が発揮される。すなわち、画像読取部１２による画像読取処理と、画像形成部２０による画像形成処理とが、同時に実行されようとするシチュエーションにおいて、この印刷停止モードによる効果が発揮される。
【００９３】
この印刷停止モードを備える本第４実施例においては、ＣＰＵ２６ａは、図７に示される要領でモード制御処理を実行する。なお、この図７に示されるモード制御処理においては、前述の第１実施例（図４）におけるモード制御処理のステップＳ７に代えて、ステップＳ８１が設けられる。したがって、このステップＳ８１以外についての詳しい説明は、省略する。
【００９４】
この図７に示されるように、ＣＰＵ２６ａは、ステップＳ８１において、駆動制御部２２の駆動モードとして印刷停止モードを設定する。これ以降、駆動制御部２２は、画像読取部１２による画像読取処理のみを実行させ、画像形成部２０による画像形成処理の実行を停止させる。
【００９５】
なお、ＣＰＵ２６ａは、ステップＳ１５において、駆動制御部２２の駆動モードとして通常モードを設定するが、このとき、画像形成部２０による画像形成処理に供される画像データがある場合には、当該画像形成処理を実行させる。
【００９６】
このように本第４実施例によれば、画像形成部２０による画像形成処理の実行が停止される一方、当該画像形成部２０に比べて動作音の小さい画像読取部１２による画像読取処理のみが実行されることによって、複合機１０全体としての動作音の低減が図られる。これによっても、スピーカ４０から出力される音声が聞き取り易くなる。
【００９７】
本第４実施例においては、給紙部１６、用紙搬送部１８および画像形成部２０が、本発明に係る特定の駆動要素の一例である。そして、印刷停止モードは、本発明に係る第３モードの一例である。また、前述の第２実施例においても、本第３実施例に倣って、たとえば図５におけるステップＳ２７およびステップＳ３１に代えて、ステップＳ８１と同様のステップＳが設けられてもよい。
［その他の適用例］
以上の各実施例は、本発明の具体例であり、本発明の技術的範囲を限定するものではない。これら各実施例以外の局面にも、本発明を適用することができる。
【００９８】
たとえば、前述の各実施例においては、複合機１０に本発明が適用される場合について説明したが、これに限らない。プリンタ装置などの複合機１０以外の装置にも、本発明を適用することができる。
【００９９】
また、前述の如く駆動制御部２２の駆動モードを切り替えることについては、その有効化および無効化を任意に設定（選択）することができるようにしてもよい。
【０１００】
また、前述の放送用の音声データに代えて、つまりデジタル音声信号に代えて、アナログ音声信号が入力されてもよい。この場合、当該アナログ音声信号は、前述のＰＡシステムの音源装置からスピーカライン（回線）を介して受信される。
【符号の説明】
【０１０１】
１０  …複合機
１２  …画像読取部
１８  …画像形成部
２２  …駆動制御部
２６  …制御部
２６ａ  …ＣＰＵ
３６  …音声処理部
４０  …スピーカ
【図１】
2019176294.tif 000003
【図２】
2019176294.tif 000004
【図３】
2019176294.tif 000005
【図４】
2019176294.tif 000006
【図５】
2019176294.tif 000007
【図６】
2019176294.tif 000008
【図７】
2019176294.tif 000009